(57)【特許請求の範囲】
【請求項１】
遊技機の前方に張り出した前板の下部に、回収部を構成し該回収部の一端下方に収納部を配置するとともに、前記回収部と連通する排煙部を設けた遊技機管理単体を配置してなる遊技場のタバコ吸殻回収・排煙装置において、
前記回収部は、前記収納部側に回動するベルトコンベアを下方に内蔵したボックス状の回収路からなり、
前記前板は、引き出し自在でかつ内部が前記回収路の上部と連通する灰皿を装着し、
前記収納部は、吸殻収納箱と玉収納箱からなり、
前記吸殻収納箱は、前記ベルトコンベアを回動させる為の駆動源を介して揺動される
ことを特徴とする遊技場のタバコ吸殻回収・排煙装置。
【請求項２】
前記前板に装着される灰皿は、その底面の一部を開口底とし、該灰皿を押し込めた状態で前記開口底と前板の底部に開口した落し口とが略整合して、該灰皿内と前記回収路の上方とが連通することを特徴とする請求項１記載の遊技場のタバコ吸殻回収・排煙装置。
【請求項３】
前記収納部側のベルトコンベア端部下方には、ベルトコンベア上に載荷されたパチンコ玉を吸着させる為のマグネットローラが設けられていることを特徴とする請求項１記載の遊技場のタバコ吸殻回収・排煙装置。
【請求項４】
前記マグネットローラの下方には該マグネットローラからパチンコ玉を分離する為の分離板と、該分離されたパチンコ玉を収納箱まで導く玉回収路が夫々形成されたことを特徴とする請求項３記載の遊技場のタバコ吸殻回収・排煙装置。
【請求項５】
前記回収部と連通する排煙部が遊技機管理単位体の内部若しくは外部に設けられたことを特徴とする請求項１記載の遊技場のタバコ吸殻回収・排煙装置。
【請求項６】
前記排煙部は、前記回収路に連通する吸気口を閉鎖する為のダンパが設けられるとともに、前記吸気口を経て吸引された煙を排出する為の排出ダクトが接続されることを特徴とする請求項５記載の遊技場のタバコ吸殻回収・排煙装置。
【請求項７】
前記回収部は、エアタイトの搬送路として形成されていることを特徴とする請求項１記載の遊技場のタバコ吸殻回収・排煙装置。
【発明の詳細な説明】
【０００１】
【発明の属する技術分野】
本発明はパチンコ台等の遊技機を配置した遊技場のタバコ吸殻の回収と同タバコからの煙を排出させる装置に関する。
【０００２】
【従来の技術】
従来、遊技機毎に灰皿が設けられて、遊技者が遊技機に向って遊技しながら喫煙ができる様に構成されている。
この灰皿は通常煙が直接上昇しないようにドーム型のしゃへい蓋が設けられた容器からなり遊技機の前方に張り出された前板の上面に吸殻投入口を開口させている。
【０００３】
【発明が解決しようとする課題】
斯かる構成配置の灰皿においては、次の様な各種の問題が生じている。
１）ドーム型のしゃへい蓋があっても立ち昇る煙が遊技者の顔に当り、吸い込むことになる。
又煙は灰皿から放散されるので遊技場（ホール）全体の空気を汚す。
２）前板上面に灰皿が開口しているので吸殻や灰が前板上に飛散することが多く、遊技機の周辺を汚す。
特に灰皿内に消火用の水を注入した場合にこの水が前板上に飛びはねて汚れを大きくすることがある。
３）灰皿上に溜った吸殻をその都度回収入しないと灰皿内は吸殻で溢れて、遊技者は他に捨てる場所がなくあげくの果てに床上に吸殻を捨てることにもなる。
４）灰皿が前板上で開口している為、パチンコ玉が灰皿内に入り易く、一担入ると吸殻と分別して取り出すことが煩雑となり又注入水による玉や手の汚れも著しく不快感が多くなる。
５）タバコの吸殻を回収する装置として従来から提案されてきたものは、最終的に吸殻を収納箱に集める（集塵箱）方式のものであって、この収納箱内に一定の高さで消火用の水を予め注入しておくが、集められた吸殻の量が多くなると、上部の吸殻まで水が浸透せず、その結果全部を消火しきれずに多量の発煙を招くことになって遊技場内空気を汚染することになる。
【０００４】
【課題を解決するための手段】
本発明は上記の課題を一挙に解決すべく、発明されたタバコ吸殻回収と排煙可能な装置に係り、その特徴とするところは、遊技機管理単位体を構成する遊技機の前方に張り出した前板の下部に、回収部を構成し該回収部の一端下方に収納部を配置するとともに、前記回収部と連通する排煙部を設けてなる遊技場のタバコ吸殻回収・排煙装置において、その回収部は、前記収納部側に回動するベルトコンベアを下方に内蔵したボックス状の回収路からなり、又前板は、引き出し自在でかつ内部が前記回収路の上部と連通する灰皿を装着したもので、収納部は、吸殻収納箱と玉収納箱からなり、吸殻収納箱は、ベルトコンベアを回動させる為の駆動源を介して揺動されるものである。
【０００５】
【発明の実施の形態】
以下に本発明に係る遊技場のタバコ吸殻回収・排煙装置について詳述する。
図１は、パチンコ台等の遊技機１１を複数並設してなる二列の遊技機列を背中合せに配置した遊技機管理単位体、所謂パチンコ島１の正面図である。
このパチンコ島１に並設された各遊技機１１，１１の下方には、前方に張り出された状態で前板１２が連続して架設されている。
【０００６】
そしてこの前板１２内には、１つ１つの遊技機１１に対応して灰皿７０が設けられている。
一方遊技機１１の上方にはランプ板１３が又その上に幕板１４が設けられている。
【０００７】
そしてランプ板１３には遊技場（ホール）の管理者（店員）を招く為の呼出ランプ１５が取付けられており、さらには警報用のパトライト１６が設けられている。
次ぎにタバコ吸殻回収機構の概略を図１乃至図５にて説明する。
図例の如く、パチンコ島１の左端には吸殻を搬送するためのベルコンドライブ部２０と同下方には回収した吸殻やパチンコ玉を収納する為の収納部３０が設けられている。
【０００８】
又同右端には、制御盤２１からの信号を受けて駆動する前記ベルコンドライブ部２０により回動したベルトコンベアを反転回動させるためのベルコンリターン部４０が形成されている。
【０００９】
上記前板１２の下部には後述の如く回収部５０が形成され、この回収部５０内の回収路５１中に張架されたベルトコンベアが前記ベルコンドライブ部２０によってベルコンリターン部４０側から収納部３０側に移動し、各灰皿７０から投入された吸殻をベルトコンベア上に載荷してこの収納部３０にまで搬送するものである。
【００１０】
一方排煙機構の概要は、前記前板１２中の回収路５１全体（含むベルコンドライブ部２０，収納部３０）を所謂エアタイトに形成するとともに灰皿７０を介して吸引したタバコの煙をこの回収路５１を経て島端若しくは島中から外部の送風機や清浄機まで送り出すものである。
次に上記両機構の構成を詳細に説明する。
【００１１】
図２はベルコンドライブ部２０とそこに設けられた排煙部６０を説明する一部破断図であり、図３は図２のＸ−Ｘ線矢視図である。
図例の如くベルコンドライブ部２０は、駆動源であるモータ２２とこのモータ２２の回転軸に接続した駆動プーリ２３と該駆動プーリ２３からの回転をタイミングベルト２５を介して伝達される従動プーリ２４と、前記従動プーリ２４の下側に位置し、前記従動プーリ２４と同期的に回転するマグネットローラ２６からなる。
【００１２】
マグネットローラ２６は、後述する様に混入したパチンコ玉を磁力により付着させるものなので、図３に示す如く、溝２６ａ，２６ｂ…が刻まれている。
このマグネットローラ２６の回転軸に設けられた偏心カム２７を介してクランク２８が取付けられており、このクランク２８は収納部３０を構成する吸殻収納箱３２に当接してそれを揺動させるものである。
【００１３】
一方図４は、ベルコンリターン部４０の構成を説明する一部省略図であり、図５はその側面概略図である。
このベルコンリターン部４０は従動プーリ４１と複数のローラ４２，４３からなる。
【００１４】
さらに図６は、図１のＹ−Ｙ線矢視断面図であって、前板１２の下部に設けた回収路５１を説明するものである。
この回収路５１は、図１に示す如くベルコンドライブ部２０とベルコンリターン部４０間に亘って形成した回収部５０の主構成をなすもので、前板１２下部に略中空状の搬送路として形成される。
【００１５】
回収路５１並びにベルコンドライブ部２０，収納部３０は一体的にシールされ所謂エアタイトに形成されている。
斯かる回収路５１内にはベルトコンベア５２が設けられる。
このベルトコンベア５２は無端すなわちエンドレス（輪状）のもので輪内の一方を従動プーリ２４に、同他方を従動プーリ４１に張架させている。
【００１６】
又図７は、灰皿７０が取付けられる前板１２とその下部の回収路５１を説明する一部省略断面図である。
そして図８は図１のＺ−Ｚ線矢視断面図であって、灰皿７０を装着した状態を説明するものである。
図に示す如く、１つ１つの遊技機１１に対応して前板１２中には各々灰皿７０が設けられている。
【００１７】
すなわち前板１２の前端面適宜箇所に灰皿７０を挿入するための灰皿挿入口１２ａが開口され、そしてこの挿入口の底面には後述の如く灰皿７０の開口底と連通して回収路５１内のベルトコンベア５２上に吸殻を落下させる為の落し口１２ｂが設けられている。
さらに挿入口１２ａの下辺には灰皿７０を着脱可能にしかつ保持する為の板バネ１２ｄが設けられている。
【００１８】
図９は灰皿７０を説明するものであって、その（イ）は平面図、（ロ）は（イ）のＰ−Ｐ線矢視断面図である。
すなわち本灰皿７０は奥行と高さが前記前板１２の張り出し長さと厚さに略対応し、その挿入口１２ａから装着される大きさの本体７１ａを有するものであって、斯かる本体７１ａの一端側に把手７１ｂが取付けられている。
【００１９】
この本体７１ａは把手７１ｂ側をテーパ辺７２とし反対側を開口底７３として形成されている。
前記構成の灰皿７０を前板１２の灰皿挿入口１２ａから装着すると図８に示す如く開口底７３と落し口１２ｂとが略整合して本体７１ａ内と回収路５１とは連通する。
【００２０】
尚灰皿７０を引き出した際に挿入口１２ａから脱落しない様ストッパ機構が設けられている。
すなわち、灰皿７０は下方から板バネ１２ｄにより上方に付勢されており、斯かる状態で引き出せば、灰皿に本体上端に設けた突起７１ｃが挿入口１２ａに設けたストッパ片１２ｅに係合してそれ以上の引き抜きは制限される。
【００２１】
一方灰皿７０を清掃等の為取り外す場合は、灰皿７０自体を板バネ１２ｄの付勢力に亢して押し下げることで前記の係合を解放し、取り出せばよい。
上記構成による吸殻の回収動作について説明する。
前板１２の下部に設けられた回収路５１内ではベルトコンベア５２が、その両側の従動プーリ２４，４１を介してベルトが収納部３０側に（上部がＡ方向，下部がＢ方向に移動：図２参照）回動している。
【００２２】
一方灰皿７０が使用される場合は図１０の仮想線に示す如く把手７１ｂを介してテーパ辺７２が外部に引き出される。
そしてこの状態でタバコがテーパ辺７２の手前に形成された挾みリブ７４（図９参照）に置かれた場合その灰はテーパ辺７２を経て底板１２ｃ上に落ちる。
同様に灰皿７０内でもみ消されたタバコの吸殻や灰も底板１２ｃ上に溜る。
【００２３】
そして次々にタバコが灰皿７０内に投下されても底板１２ｃ上に溜り、溜る量が多いと落し口１２ｂから自然に回収路５１内に落下する。
又引き出された灰皿７０を押し込めばテーパ辺７２の先端が底板１２ｃ上の吸殻や灰をスイープして前記同様に落し口１２ｂから回収路５１内に落下させる。
【００２４】
回収路５１内に落ちた吸殻はベルトコンベア５２上に載荷され、収納部３０まで搬送されて下部にある吸殻収納箱３２内に投下される。
この吸殻収納箱３２は上述の如くクランク２８により揺動しているので、投下された吸殻は箱内で揺動することになり、上部に堆積した吸殻にも箱内の消火用水が浸透することになり、吸殻収納箱３２内の消火を完全にする。
【００２５】
前板１２上に転がり出たパチンコ玉が灰皿７０内に混入した場合は、前記同様ベルトコンベア５２を介して収納部３０まで搬送される。
しかしベルトコンベア５２の端部から下方の吸殻収納箱３２に落下する際に、パチンコ玉は従動プーリ２４の下方に設けられているマグネットローラ２６の溝２６ａ，２６ｂ…間で吸着される。このマグネットローラ２６は上述の如くベルトコンベア５２と同期回転するので確実にパチンコ玉を吸着さるとともに、マグネットローラ２６の下部に設けた分離板３３によりパチンコ玉がマグネットローラ２６から分離されて玉回収路３４を経て玉収納箱３１に収納される（図１，図２参照）。
【００２６】
尚分離板３３は、その先端を櫛歯状に形成し、その櫛歯を前記溝２６ａ，２６ｂ…間に挿入させておくことで、パチンコ玉の分離を確実なものにすることができる。
前記玉収納箱３１や吸殻収納箱３２が満杯になると、図示しないレベルセンサやウエイトセンサによってこの満杯状態が検知され、パチンコ島１のランプ板１３に設けた警報灯（図示せず）やパトライト１６を点燈させて各収納箱の交換若しくは吸殻，パチンコ玉取出し時期を知らせる。
【００２７】
次に本発明に係る排煙機構とその動作について説明する。
図２に示す如く、前記パチンコ島１の一端にはエアタイト状に形成された回収路５１と連通する状態に排煙部６０が形成される。
この排煙部６０は、前記の如く回収路５１と連通する吸気口５３を塞ぐダンパボックス６１と、このダンパボックス６１内に設けられて、前記吸気口５３を閉鎖する為のダンパ６２を主たる構成となす。
【００２８】
ダンパ６２は、例えばその上端側ヒンジにより回転自在となし、かつ下端側にセンサ６３を設けるとともに吸気口５３の開口状態を鉛ロッド等の温度ヒューズ棒６４により保持するものである。
又ダンパボックス６１には吸気口５３を経て吸引した煙をパチンコ島１外へ排出する為のダクト取付口６５が設けられている。
【００２９】
このダクト取付口６５に一端を取付けたダクトは、その他端を送風機６６に接続させる。
尚図例では排煙部６０を島端の外方に設けたが、この位置に限定されることなく島中例えば研磨塔の近傍に設けるものでもよい。
斯かる構成において制御盤２１の操作によりベルトコンベア５２を駆動し、又はこのベルトコンベア５２の駆動と関係なく送風機６６を駆動させる。
【００３０】
送風機６６の駆動によって回収路５１内の煙は、吸気口５３からダンパボックス６１を経て吸引排出される。
すなわち排煙動作において、灰皿７０を引き出している場合は、図１０に示す如くタバコを灰皿７０に置いたか否かにかかわらず灰皿近傍の煙例えば遊技者が手に持ったタバコの煙は落し口１２ｂを経て回収路５１中へ吸引される。
【００３１】
斯かる排煙動作において、不使用の灰皿７０を灰皿挿入口１２ａ内に押し込んで、灰皿挿入口１２ａの気密を確実にすることで使用中の灰皿７０からの吸引を大きくすることができる。一方、不使用の灰皿７０を引き出したままの状態でも、使用中の灰皿７０と同様に周囲の煙を吸引するので遊技場（ホール）全体の空気清浄に役立つことになる。
【００３２】
そして図１１に示すごとく送風機６６に吸引された煙はホール天井に設けた清浄機６７に吹き付けられ、この清浄機６７を経て遊技場外へ排出される。
又送風機６６の送風側に図示しない排気ダクトを取付け、この排気ダクトの放出側を直接ホール外に向けておくこともできる。
【００３３】
さらに灰皿周辺の煙のみならず、遊技場内に漂う煙を排出するものとして、パチンコ島１の幕板１４の下方に吸気路６８を設けこの吸気路６８を吸気ガラリ６９を介してホール内に連通させるとともに、ダクトで前記ダンパボックス６１又は送風機６６に接続させることも可能である。これにより図例の如く遊技者は表裏回転自在の足置台８０上に、靴を脱いで足を置き、リラックスした状態でプレイできる。例えばくわえタバコの状態でプレイしてもタバコの煙は、上部にある吸気ガラリ６９から吸引されるので、ホール内空気の清浄化が保たれる。
【００３４】
又幕板１４の表面に呼出しランプを設けることで、前述の如き（図１参照）ランプ板１３は不要となる。
従ってその分吸気ガラリ６９が遊技者に近くなり、より一層ホール内空気の清浄化を図ることができる。
【００３５】
尚ダンパ６２の開口状態を保持する温度ヒューズ棒６４は、収納部３０や回収部５０で発火が起きた場合に所定の温度で溶解し、ダンパ６２を回動させて吸気口５３を塞ぐためのものである。
このとき、センサ６３による信号は制御用配線２７を介して制御盤２１に送信され、モータ２２や送風機６６の駆動を停止させる。これにより防火を確実にするとともに、呼出ランプ１５やパトライト１６により警報の発信が行われる。
【００３６】
【発明の効果】
上記の如く本発明のタバコ吸殻回収・排煙装置は、灰皿中のタバコの吸殻を自動的に一括廃棄処理し、しかもパチンコ玉が混入しても吸殻とは分離収納できるので、遊技者（客）や管理者（店員）の手を直接汚すことがない。
したがって灰皿が吸殻で溢れることもなく、客の投げ捨てもないので遊技場の清潔を長く維持できる。
【００３７】
その上吸殻収納箱に集められる吸殻は多量堆積されても上部の吸殻に十分な水の浸透が図られるのでそこから発煙や発火は生じない。
さらに灰皿周辺の煙を一括して吸引する丈でなくパチンコ島周辺の煙をも吸引して遊技場外へ排出できるので、上記吸殻による不潔感の解消と合いまって場内空気の清浄化により遊技場内の雰囲気を清潔感あふれるものにすることができる。
【図面の簡単な説明】
【図１】パチンコ島の正面図である。
【図２】ベルコンドライブ部の一部破断図である。
【図３】図２のＸ−Ｘ矢視図である。
【図４】ベルコンリターン部の一部省略図である。
【図５】ベルコンリターン部の側面図である。
【図６】図１のＹ−Ｙ線矢視断面図である。
【図７】前板と回収路の説明図である。
【図８】図１のＺ−Ｚ線矢視断面図である。
【図９】灰皿の説明図である。
【図１０】灰皿の使用状態を説明する図である。
【図１１】本発明に係る島の側面概略図である。
【符号の説明】
１  パチンコ島
１１  遊技機
１２  前板
１２ａ  灰皿挿入口
１２ｂ  落し口
２０  ベルコンドライブ部
２６  マグネットローラ
３０  収納部
３１  玉収納箱
３２  吸殻収納箱
３３  分離板
４０  ベルコンリターン部
５０  回収部
５１  回収路
５２  ベルトコンベア
５３  吸気口
６０  排煙部
７０  灰皿
７３  開口底
【図１】
0004117036.tif 000002
【図２】
0004117036.tif 000003
【図３】
0004117036.tif 000004
【図４】
0004117036.tif 000005
【図５】
0004117036.tif 000006
【図６】
0004117036.tif 000007
【図７】
0004117036.tif 000008
【図８】
0004117036.tif 000009
【図９】
0004117036.tif 000010
【図１０】
0004117036.tif 000011
【図１１】
0004117036.tif 000012